(57)【要約】【課題】筒状缶の外側に溝状ビード、ラチェット、円周突起等を設けることを必要としない、ピルファープルーフバンドの下端に指先を引っかけて持ち上げれば比較的簡単に缶から外すことができるという従来の欠点を解消したオーバーキャップ及び包装体を提供する。【解決手段】フランジ部付き筒状容器本体用のオーバーキャップは、盤状の蓋本体と、前記蓋本体の縁部から下方に連設され、内部に筒状容器本体のフランジ部の外形に沿って係合される溝部を備えるスカート部と、スカート部の下端に連設されたピルファープルーフバンドと、該ピルファープルーフバンドの下端に連設された、周方向に並ぶ複数の折り返し羽根を備える。スカート部とピルファープルーフバンドの間には引き裂き可能な薄肉部が形成され、ピルファープルーフバンドにはピルファープルーフバンド把持用つまみが設けられている。【選択図】  図１
2004161325.tif 000002
【特許請求の範囲】
【請求項１】
フランジ部付き筒状容器本体用のオーバーキャップであって、盤状の蓋本体と、前記蓋本体の縁部から下方に連設され、内部に筒状容器本体のフランジ部の外形に沿って係合される溝部を備えるスカート部と、前記スカート部の下端に連設されたピルファープルーフバンドと、該ピルファープルーフバンドの下端に連設された、周方向に並ぶ複数の折り返し羽根を備え、前記スカート部とピルファープルーフバンドの間には引き裂き可能な薄肉部が形成され、ピルファープルーフバンドにはピルファープルーフバンド把持用つまみが設けられていることを特徴とするオーバーキャップ。
【請求項２】
ピルファープルーフバンドの下端は筒状容器本体のフランジ部の最大径よりも更に半径方向外方に位置することを特徴とする請求項１に記載のオーバーキャップ。
【請求項３】
折り返し羽根がその長手方向中央部が肉厚に形成されていることを特徴とする請求項１に記載のオーバーキャップ。
【請求項４】
折り返し羽根が周方向に間隔をおいて設けられていることを特徴とする請求項１に記載のオーバーキャップ。
【請求項５】
折り返し羽根が連結部を介して互いにつながっていることを特徴とする請求項４に記載のオーバーキャップ。
【請求項６】
請求項１乃至５の何れか一項に記載のオーバーキャップとフランジ部を有する筒状容器本体とからなり、オーバーキャップの折り返し羽根はピルファープルーフバンドの内側に折り曲げられ、その状態でオーバーキャップは包装内容物の入った筒状容器本体のフランジ部に嵌合されていることを特徴とする包装体。
【請求項７】
フランジ部を有する筒状容器本体は巻締め部を有する金属缶であることを特徴とする請求項６に記載の包装体。
【発明の詳細な説明】
【０００１】
【発明の属する技術分野】
本発明は、ドライミルク、粉末コーヒー、お茶、海苔、ふりかけ等の食品用の缶容器に対する外部からの悪戯を防止できるように工夫された、ピルファープルーフ性を備えた嵌合蓋、所謂オーバーキャップ及びこのオーバーキャップを用いた包装体に関する。
【０００２】
【従来の技術】
従来、ドライミルク、粉末コーヒー、お茶、海苔、ふりかけ等の食品用の比較的口径の大きい缶には嵌合蓋、所謂オーバーキャップが付いており、閉缶後の包装内容物への湿気・臭い等の浸入、付着等を防止するために用いられている。このオーバーキャップは、通常、低密度ポリエチレン、線状低密度ポリエチレン、中密度ポリエチレン等を射出成形して製造される。
【０００３】
図７は、従来のオーバーキャップ１の一例を示す。このオーバーキャップ１は、盤状の蓋本体２とその縁部から下方に連設されたリング状のスカート部３を備え、このスカート部３の内面には金属製の筒状缶７のフランジ部としての巻締め部８の形状に沿った溝部６が形成されている。この溝部６の下端は筒状缶７の上端の巻締め部８の最大径より小さい内径を有するので、オーバーキャップ１を筒状缶７のほうへ軽く押圧すると筒状缶７の巻締め部８を越えてオーバーキャップ１が筒状缶７に嵌合するようになっている。
【０００４】
また、スカート部３の下方にはピルファープルーフバンド４が薄肉部５を介して連設されている。ピルファープルーフバンド４は、その下端４ａが筒状缶７の胴部７ａに接するようにスカート部３に対して傾斜しており、下端４ａが筒状缶７の胴部７ａに近接することによってオーバーキャップ１は筒状缶７から脱落しないようにされる。前記オーバーキャップ１は、開封する際に前記薄肉部５に沿って引き裂きピルファープルーフバンド４を切り取ることによって開封し、その後包装内容物を通常のように使用する。
【０００５】
しかしながら、従来のオーバーキャップは、ピルファープルーフバンドの下端に指先を引っかけて持ち上げれば比較的簡単に缶から外れるように設計されているため、店頭に陳列された缶製品が外部から蓋部分をこじ開けられたり異物を混入されたりして悪戯される恐れがあり、このような悪戯に対する対策が求められていた。
【０００６】
また、前記オーバーキャップは、未開封状態と開封状態をピルファープルーフバンドの有無により容易に識別できるという利点を有するが、ポリエチレン等の可撓性を有する材料からなるため、薄肉部を破壊することなくオーバーキャップを筒状缶から容易に取り外しまたは嵌合することができる。そのため、悪戯に対する対策としてのピルファープルーフ機能は完全ではなかった。
【０００７】
さらに、ポリエチレン等からなるオーバーキャップは温度によって剛性が大きく変化するので、冬期においては十分な剛性があって筒状缶とオーバーキャップとはタイトな嵌合状態であっても、夏期においてはオーバーキャップの剛性が低下して柔らかくなってオーバーキャップを缶から簡単に取り外すことができるようになり、ピルファープルーフ機能が損なわれる欠点があった。
【０００８】
上記したピルファープルーフバンドの下端に指先を引っかけて持ち上げれば比較的簡単にオーバーキャップが缶から外れる欠点を解消するべくピルファープルーフバンドを筒状缶に対してタイトに成形すると、キャツピング時にピルファープルーフバンドの内面が筒状缶の縁に引っ掛かり蓋をすることができなくなる。
【０００９】
特許文献１には、円盤状の蓋本体と、前記蓋本体の縁部から下方に延長され、内側に缶巻締め部の外形に沿って係合される溝部を設けられた第１のスカート部と、前記第１のスカート部の下方に延長された第２のスカート部とからなるオーバーキャップであって、前記第２のスカート部の内側に缶への嵌合時に前記缶巻締め部の缶外径より小さい外径で設けられた缶の溝状ビードの外形に沿うように入り込み係合される突出部が設けられていることを特徴とする、オーバーキャップが開示されている（特許文献１参照）。
【００１０】
しかしながら、この特許文献１に記載のオーバーキャップは、胴部に溝状ビードを備える缶に対して利用し得るものであり、このような溝状ビードのない筒状缶には適用することができない。
【００１１】
また、ピルファープルーフ性に関しては、容器の注出口に装着されるキャップにおいても検討されており、そのようなキャップとして、注出口に装着され、注出口を密閉するキャップ本体と、キャップの本体と、キャップ本体の開口側に連結された円筒リングとからなるものが知られている。この円筒リングは、キャップを注出口に装着する際はキャップ本体に連結されているが、キャップを開方向に回転させて注出口から取り外す際はキャップ本体から分離される。このような円筒リングの分離により、外部よりキャップが一度取り外されたことを認識することができ、ピルファープルーフ効果が奏せられる。
【００１２】
上述のようにキャップの取り外し時に、円筒リングがキャップ本体から分離されるようになっているが、キャップを開方向に回転させても円筒リングがキャップ本体から確実に分離されない場合がある。
【００１３】
この欠点を解消し、キャップが一旦注出口から取り外された場合にキャップ本体から円周リングが確実に分離されるように構成されたキャップと注出口の組立体が特許文献２に開示されている（特許文献２参照）。
【００１４】
図８は、特許文献２に記載のキャップと注出口の組立体を示し、（Ａ）は側断面図、（Ｂ）は図１（Ａ）に示すＡ−Ａ線に沿って取った断面図を示す。この特許文献２に記載のキャップと注出口の組立体は、図８に示すように、円筒状注出口２０と、注出口２０の外面に雄螺子２１ａとを備え、更に雄螺子２１ａの基端側に円周突起２２が設けられると共に、円周突起２２の基端側に複数のラチェット２３が円周方向に所定の間隔をおいて設けられ、キャップ１０は注出口の雄螺子２１ａに係合する雌螺子１１ａを有する円筒状のキャップ本体１１と、キャップ本体１１の開口側１１ｃに薄肉部１４を介して連結された円筒リング１２とを有し、円筒リング１２に、円筒リング１２の内側に折り込まれる複数の羽根１３を設け、羽根１３は円周突起２２に当接して軸方向移動が規制され、更にラチェット２３に当接して円周方向移動が規制されるキャップと注出口の組立体が記載されている。尚、図において、１１ｂはキャップ本体１１の密閉側を示し、１６は折り罫を示す。
【００１５】
特許文献２に記載の発明によれば、注出口２０に対してキャップ１０を開方向へ開動させると、円筒リング１２の羽根１３が円周方向に所定間隔をおいて設けられた注出口２０のラチェット２３に当たりそれによって円筒リング１２の円周方向移動が規制される。さらにキャップ１０を回動させると、薄肉部１４が破断して円筒リング１２がキャップ本体１１から分離される。円筒リング１２の羽根１３が注出口２０の円周突起２２に係合して軸方向の移動が規制されるため、円筒リング１２は注出口２０から脱落することはない。
【００１６】
上記のように、特許文献２に記載のピルファープルーフ性の保持構造は、羽根とラチェットの係合及び羽根と円周突起の係合によるものでこの構造をオーバーキャップと筒状缶からなる包装体に取り入れるためには、筒状缶の周囲にラチェット及び円周突起を設けなければならない。
【００１７】
【特許文献１】
特許第３２４１５３４号公報（第１頁左欄）
【特許文献２】
特開２００２−１５４５６３号公報（請求項１、第１図乃至第２図）
【００１８】
【発明が解決しようとする課題】
本発明の目的は、筒状缶の外側に溝状ビード、ラチェット、円周突起等を設けることを必要としない、ピルファープルーフバンドの下端に指先を引っかけて持ち上げれば比較的簡単に缶から外すことができるという従来の欠点を解消したオーバーキャップ及び包装体を提供することである。
【００１９】
【課題を解決するための手段】
請求項１に記載の発明は、オーバーキャップに関する課題を解決するもので、フランジ部付き筒状容器本体用のオーバーキャップであって、盤状の蓋本体と、前記蓋本体の縁部から下方に連設され、内部に筒状容器本体のフランジ部の外形に沿って係合される溝部を備えるスカート部と、前記スカート部の下端に連設されたピルファープルーフバンドと、該ピルファープルーフバンドの下端に連設された、周方向に並ぶ複数の折り返し羽根を備え、前記スカート部とピルファープルーフバンドの間には引き裂き可能な薄肉部が形成され、ピルファープルーフバンドにはピルファープルーフバンド把持用つまみが設けられていることを特徴とするオーバーキャップを要旨とする。
【００２０】
本明細書において、フランジ部付き筒状容器本体とは、巻締め部を有する金属缶、丸形環状縁部を有する紙缶、紙／金属箔、プラスチック／金属箔等の複合材料からなる丸形環状縁部を有する缶等を意味する。
【００２１】
本発明のオーバーキャップにおいて、ピルファープルーフバンドの下端は筒状容器本体のフランジ部の最大径よりも更に半径方向外方に位置することが望ましい。このように構成することにより、折り返し羽根を、その根元をフランジ部の最大径よりも更に半径方向外方に位置させてピルファープルーフバンドの内側に折り返した状態で容易にオーバーキャップを筒状容器本体に嵌合させることができる。
【００２２】
本発明のオーバーキャップにおいて、折り返し羽根はその長手方向中央部を肉厚に形成されていることが望ましい。このように構成することにより、折り返し羽根の先端を筒状容器本体の胴部により強く密着させ、オーバーキャップが筒状容器本体から容易に抜き取ることがより困難にすることができる。
【００２３】
本発明のオーバーキャップにおいて、折り返し羽根は周方向に互いに間隔をおいて設けられている。この折り返し羽根は連結部を介して互いにつながっていることが望ましい。このように構成することにより複数の折り返し羽根をピルファープルーフバンドの内側に折り返すことが容易になる。
【００２４】
請求項６に記載の発明は、包装体に関する課題を解決するもので、請求項１乃至４の何れか一項に記載のオーバーキャップとフランジ部を有する筒状容器本体とからなり、オーバーキャップの折り返し羽根はピルファープルーフバンドの内側に折り曲げられ、その状態でオーバーキャップは包装内容物の入った筒状容器本体のフランジ部に嵌合されていることを特徴とする包装体を要旨とする。
【００２５】
本発明のオーバーキャップを用いた包装体においては、オーバーキャップを筒状缶に嵌合させた状態で、ピルファープルーフバンドを取り除くことなくオーバーキャップを筒状缶から取り外そうとしても、折り返し羽根の先端がフランジ部に当たりオーバーキャップを筒状缶から取り外すことはできない。
【００２６】
また、オーバーキャップを筒状缶に嵌合させるときは、折り返し羽根を筒状缶の嵌合の妨げとならないようにピルファープルーフバンドの内側に折り返すことができる。特にピルファープルーフバンドの下端がフランジ部の最大径よりも更に半径方向外方に位置するとき、折り返し羽根を、その根元をフランジ部の最大径よりも更に半径方向外方に位置させてピルファープルーフバンドの内側に折り返した状態で容易にオーバーキャップを筒状缶に嵌合させることができる。
【００２７】
【発明の実施の形態】
図１は、巻締め部を有する金属缶に嵌合される本発明に係るオーバーキャップの例を示し、（Ａ）は半断面図示側面図、（Ｂ）は下面図を示す。
【００２８】
本発明に係るオーバーキャップ１は、低密度ポリエチレン、線状低密度ポリエチレン、中密度ポリエチレン、ポリプロピレン等のオレフィン樹脂を射出成形してなるもので、盤状の蓋本体２と、前記蓋本体２の縁部から下方に連設され、内部にフランジ部（缶巻締め部）の外形に沿って係合される溝部６を備えるスカート部３と、前記スカート部の下端に連設されたピルファープルーフバンド４と、該ピルファープルーフバンド４の下端４ａに折罫を介して連設された、周方向に間隔をおいて並ぶ複数の折り返し羽根９を備える。スカート部３とピルファープルーフバンド４の間には引き裂き可能な薄肉部５が形成され、ピルファープルーフバンド４にはピルファープルーフバンド把持用つまみ４ｂが設けられている。
【００２９】
図２は、オーバーキャップ１の主要部を、折り返し羽根９をピルファープルーフバンド４の内側に折り返していない状態で、円筒状缶７と共に示し、溝部６が缶巻締め部８の外形に沿って係合された状態を示す。
【００３０】
次に、図１、図２に示すオーバーキャップ１を用いてなる包装体について説明する。図３に示すように、オーバーキャップ１の折り返し羽根９はピルファープルーフバンド４の内側に折り曲げられる。そして、その状態でオーバーキャップ１は包装内容物の入った筒状缶７に嵌合され、包装体が形成される。
【００３１】
図４は、オーバーキャップの別の実施の形態を示す。この実施の形態においては、折り返し羽根９の長手方向中央部が厚肉に形成されている。このように構成することにより、図５に示すように、折り返し羽根９をピルファープルーフバンド４の内側に折り曲げることにより折り返し羽根９の先端９ｂを円筒状缶７の胴部に強く密着させることができる。
【００３２】
図６は、オーバーキャップの更に別の実施の形態を示す。この実施の形態においては、折り返し羽根９が連結部９ｃを介して互いにつながっており、そのため複数の折り返し羽根９をピルファープルーフバンド４の内側に折り返すことがより容易になる。
【００３３】
本発明に係る包装体において、筒状缶としては、上にあげたフランジ部として巻締め部を有する金属缶以外に、フランジ部として丸形環状縁部を有する紙またはプラスチックと金属箔、金属または金属酸化物の蒸着膜、ポリ塩化ビニリデンフィルム、ポリアクリロニトリル樹脂、エチレン−酸化ビニル共重合体鹸化物等のガスバリア材料の複合材料からなる缶等を適用することができる。また筒状缶の形状は円筒形に限られることなく例えば角筒形であってもよい。
【００３４】
本発明のオーバーキャップを用いた包装体の開封は、ピルファープルーフバンド把持用つまみ４ｂを把持してピルファーバンド４を周方向に引き、薄肉部５に沿って引き裂いてピルファーバンド４及び折り返し羽根９を取り去ることにより行うことができる。
【００３５】
オーバーキャップ１を筒状缶７に嵌合させた状態では、ピルファープルーフバンド４を取り除くことなくオーバーキャップ１を筒状缶７から取り外そうとしても、折り返し羽根９がフランジ部８に当たりオーバーキャップ１を筒状缶７から取り外すことはできない。
【００３６】
また、オーバーキャップ１を筒状缶７に嵌合させるときは、オーバーキャップ１の筒状缶７への嵌合の妨げとならないように、折り返し羽根９を、その根元９ａをピルファープルーフバンド４の内側に位置させて折り返し羽根９をピルファープルーフバンド４の内側に折り返すことができる。これによって折り返し羽根９を、その根元９ａをフランジ部８の最大径の部分が筒状缶７の縁に引っ掛かることなくスムーズにキャッピングを行うことができる。
【００３７】
本発明に係る包装体は、ドライミルク、粉末コーヒー、お茶、海苔、ふりかけ等の食品の包装に適用することができる。
【００３８】
【発明の効果】
以上詳細に説明した本発明に係るオーバーキャップは、フランジ部付き筒状容器本体用のオーバーキャップであって、盤状の蓋本体と、前記蓋本体の縁部から下方に連設され、内部に筒状容器本体のフランジ部の外形に沿って係合される溝部を備えるスカート部と、前記スカート部の下端に連設されたピルファープルーフバンドと、該ピルファープルーフバンドの下端に連設された、周方向に並ぶ複数の折り返し羽根を備え、前記スカート部とピルファープルーフバンドの間には引き裂き可能な薄肉部が形成され、ピルファープルーフバンドにはピルファープルーフバンド把持用つまみが設けられていることを特徴とするもので、折り返し羽根が筒状缶の縁に引っ掛かることなくスムーズにキャッピングを行うことができるのみならず、折り返し羽根をピルファープルーフバンドの内側に折り曲げた状態でオーバーキャップを包装内容物の入った筒状缶に嵌合させることにより、従来のようにピルファープルーフバンドの下端に指先を引っかけてオーバーキャップを円筒状缶から取り外すことができないピルファープルーフ性を有する包装体を形成することができる。
【００３９】
本発明の包装体は、オーバーキャップと筒状缶からなり、筒状缶の周囲に溝状ビード、ラチェット、円周突起等を設ける必要はなく安価な包装体を提供することができる利点を有する。
【図面の簡単な説明】
【図１】本発明のオーバーキャップを示し、（Ａ）は半断面図示側面図、（Ｂ）は底面図である。
【図２】オーバーキャップの主要部を、折り返し羽根をピルファープルーフバンドの内側に折り返していない状態で、筒状缶と共に示す略断面図である。
【図３】折り返し羽根をピルファープルーフバンドの内側に折り返した状態でオーバーキャップを筒状缶に嵌合した状態を示す略断面図である。
【図４】本発明のオーバーキャップの別の実施の形態を示す略断面図である。
【図５】図４に示すオーバーキャップの折り返し羽根をピルファープルーフバンドの内側に折り返した状態で、オーバーキャップを筒状缶に嵌合した状態を示す略側面図である。
【図６】本発明のオーバーキャップの更に別の実施の形態を示す半断面図示側面図である。
【図７】従来のオーバーキャップを筒状缶と共に示す略断面図である。
【図８】特許文献２に開示されたキャップと注出口の組立体を示し、（Ａ）は側断面図、（Ｂ）は図１（Ａ）に示すＡ−Ａ線に沿って取った断面図である。
【符号の説明】
１      オーバーキャップ
２      蓋本体
３      スカート部
４      ピルファープルーフバンド
４ａ    ピルファープルーフバンドの下端
４ｂ    ピルファープルーフバンド把持用つまみ
５      薄肉部
６      溝部
７      筒状缶
７ａ    胴部
８      フランジ部
９      折り返し羽根
９ａ    折り返し羽根の根元
９ｂ    折り返し羽目の先端
９ｃ    折り返し羽根の連結部
１０    キャップ
１１    キャップ本体
１１ａ  雌螺子
１２    円筒リング
１３    羽根
１４    薄肉部
１６    折り罫
２０    注出口
２１ａ  雄螺子
２２    円周突起
２３    ラチェット
【図１】
2004161325.tif 000003
【図２】
2004161325.tif 000004
【図３】
2004161325.tif 000005
【図４】
2004161325.tif 000006
【図５】
2004161325.tif 000007
【図６】
2004161325.tif 000008
【図７】
2004161325.tif 000009
【図８】
2004161325.tif 000010